(57)【要約】
【課題】  美容の向上に効果的な症状改善に適したつぼを、容易に探すことのできるチェック表を提供する。
【解決手段】  重ね合わされた表面板２と裏面板と裏面板３とからなる封筒状の本体部１と、本体部１内に挿入されたスライド板４とを備える。前記表面板２と裏面板３には、症状表示部５と人体表示部６とを設ける。症状表示部５には、美容の向上にあたって選択すべき複数の症状を記載した症状記載７と、この複数の症状記載７にそれぞれ対応した複数の症状側開口部８とを配置する。人体表示部６には、人体図９と、この人体図９におけるつぼの位置に対応したつぼ側開口部１０とを設ける。スライド板４には、複数の症状側開口部８のいずれかに順次露出する症状選択マーク１１と、前記症状選択マーク１１がある症状に対応する症状側開口部８に露出している場合に、その症状を改善するつぼの位置に対応したつぼ側開口部１０に露出するつぼ選択マーク１２を設ける。
【選択図】  図１
0003100691.tif 000002
【実用新案登録請求の範囲】
【請求項１】
重ね合わされた表面板２と裏面板３とをその側縁部で結合してなる端縁部側が開口した封筒状の本体部１と、
前記表面板２と裏面板３よりもわずかに小さなほぼ同一寸法で、本体部１の表面板２と裏面板３との間に、本体部１の側縁に沿ってスライド自在に挿入されたスライド板４とを備え、
前記表面板２と裏面板３の少なくとも一方には、症状表示部５と人体表示部６とを備え、
前記症状表示部５には、美容の向上にあたって選択すべき複数の症状を記載した症状記載７と、この複数の症状記載７にそれぞれ対応した複数の症状側開口部８とが、前記スライド板４の移動方向に沿って配置され、
前記人体表示部６には、人体の全部もしくは一部のうち、少なくとも一方の形状を表示した人体図９と、この人体図９におけるつぼの位置に対応して設けられたつぼ側開口部１０とが設けられ、
前記スライド板４には、スライド板４を上下方向に移動させた場合に、複数の症状側開口部８のいずれかに順次露出する症状選択マーク１１と、前記症状選択マーク１１がある症状に対応する症状側開口部８に露出している場合に、その症状を改善する１つあるいは複数のつぼの位置に対応したつぼ側開口部１０に露出するつぼ選択マーク１２とが設けられていることを特徴とする美容チェック表。
【請求項２】
前記表面板２の裏面板３との端縁部中央に、本体部１内に挿入したスライド板４の一部が露出するような摘み用切欠部１ａが設けられていることを特徴とする請求項１に記載の美容チェック表。
【請求項３】
前記つぼ側開口部１０が、人体図９における選択された症状に該当するつぼの位置に直接開口されるものと、つぼの位置から離れた位置に開口されてつぼの位置とその開口部との間を引出線によって結んだものとが設けられ、異なったつぼの位置が近接していてもそれに対応する開口部の位置が重なることがないように構成されていることを特徴とする請求項１または請求項２に記載の美容チェック表。
【請求項４】
対応するつぼの位置が、表面板２または裏面板３におけるスライド方向の全域に広がっている症状の症状側開口部８は、その症状側開口部８に症状選択マーク１１が露出している状態において、本体部１端縁からのスライド板４の突出量が少ない位置に設けられ、
対応するつぼの位置が、表面板２または裏面板３におけるスライド方向の一方に偏っている症状の症状側開口部８は、その症状側開口部８に症状選択マーク１１が露出している状態において、本体部１端縁からのスライド板４の突出量が大きい位置に設けられていることを特徴とする請求項１、請求項２または請求項３に記載の美容チェック表。
【考案の詳細な説明】
【技術分野】
【０００１】
本考案は、美容を向上するために改善すべき複数の症状と、前記複数の症状の改善に効果がある１つあるいは複数のつぼの位置とを容易に確認することのできる美容チェック表に関するものである。
【背景技術】
【０００２】
頭痛、肩こりなどの症状を改善するために、指圧、マッサージ、針、灸などにより、所定のつぼを刺激することが従来から知られている。このつぼの位置は、症状ごとに異なっており、各症状に合わせた適切な位置を簡単に判別することは難しい。
【０００３】
そのため、従来から、人体図の上につぼの位置を表示すると共に、そのつぼがどのような症状に効果があるかを記載した図表が使用されていた。しかし、このような図表では、一つの症状に対して、複数のつぼを刺激することが効果的であり、症状ごとにそれに対応するつぼの位置を洩れなく拾い出すことは、困難であった。
【０００４】
これを改善するために、特許文献１の考案のように、人体図を表示してつぼの位置に開口部を設けた封筒状の袋と、症状に合わせた複数のつぼの位置に対応したマークが印刷された複数のスライド板を用意して、改善を希望する症状に合わせて選択したスライド板を袋内に入れ、そのスライド板のマークを症状に対応するつぼの位置の開口部に露出させることにより、特定の症状に対するつぼの位置のみを表示するものが提案されている。
【特許文献１】実用新案登録第３０４１５７０号公報
【０００５】
しかし、特許文献１のような考案では、症状に合わせて複数のスライド板を用意しなければならず、取り扱いが面倒であった。そのため、１枚のスライド板に複数の症状に合わせたマークを設けておき、症状に合わせてスライド板の袋に対する停止位置を変更することで、１枚のスライド板で複数の症状に対応することも提案されているが、その場合も、袋の底部がふさがっていて、スライド板のスライド量に限界があり、多くのつぼを表示できない欠点があった。
【０００６】
その上、従来のチェック表は、もっぱら肩こりなどの症状改善のために作成されたものであって、ダイエットや肌荒れ、シワ・シミなどの美容のために改善すべき症状を対象としたものではなかった。
【考案の開示】
【考案が解決しようとする課題】
【０００７】
本考案の解決しようとする問題点は、１枚のスライド板を使用した簡単な構成で、多数の症状に対応した多くのつぼの表示が可能な美容チェック表を提供することにある。
【課題を解決するための手段】
【０００８】
請求項１の考案は、表面板と裏面板とから構成されて上下が開口した袋状の本体部の中に、１枚のスライド板を挿入して、本体部の上下方向（端縁部方向）のいずれにも、スライド板が突出するように移動できるようにしたことを特徴とする。
【０００９】
請求項２の考案は、前記表面板の裏面板との端縁部中央に、本体部内に挿入したスライド板の一部が露出するような摘み用切欠部が設けられていることを特徴とする。
【００１０】
請求項３の考案は、前記つぼの位置を示すつぼ側開口部が、人体図における選択された症状に該当するつぼの位置に直接開口されるものと、つぼの位置から離れた位置に開口されてつぼの位置とその開口部との間を引出線によって結んだものとが設けられ、異なったつぼの位置が近接していてもそれに対応する開口部の位置が重なることがないように構成されていることを特徴とする。
【００１１】
請求項４の考案は、対応するつぼの位置が、表面板または裏面板におけるスライド方向の全域に広がっている症状の症状側開口部は、その症状側開口部に症状選択マークが露出している状態において、本体部端縁からのスライド板の突出量が少ない位置に設けられ、対応するつぼの位置が、表面板または裏面板におけるスライド方向の一方に偏っている症状の症状側開口部は、その症状側開口部に症状選択マークが露出している状態において、本体部端縁からのスライド板の突出量が大きい位置に設けられていることを特徴とする。
【考案の効果】
【００１２】
請求項１の考案は、スライド板が本体の上下にスライドするので、底がある袋状の本体に比較して、スライド板の移動量を大きく取れるので、１枚のスライド板でも多数の症状に対応した多数のつぼの位置を表示できる。また、特許文献１のように複数のスライド板を交換する必要もない。
請求項２の考案では、摘み用切欠部により、内部のスライド板を容易に持つことができ、スライド操作が簡単に実施できる。
請求項３の考案では、症状の異なったつぼの位置が近接していても、スライド板のマークが重なり合うことがないので、つぼの位置を正確に表示できる。
請求項４の考案では、１つの症状で頭と足先のように離れた位置にあるつぼであっても、また体の一部に複数のつぼが偏っている場合でも、表示する各症状の位置を適切に選択することにより、確実に表示することが可能となる。
【００１３】
そして、これらの結果、多数の異なった位置にあるつぼを刺激することが必要な美容目的の場合でも、各症状に応じて適切なつぼを洩れなく表示することができる。
【考案を実施するための最良の形態】
【００１４】
図１は、本考案の美容チェック表の一実施形態を示す正面図、図２は背面図である。図中、１は上下が開口した袋状の本体部１であって、この本体部１は、重ね合わされた表面板２と裏面板３とを、その側縁部で結合することにより端縁部側が開口した封筒状としたものである。この本体部１の表面板２と裏面板３との間には、前記表面板２と裏面板３よりもわずかに小さなほぼ同一寸法で、本体部１の側縁に沿ってスライド自在にスライド板４が挿入されている。また、前記表面板２の裏面板３との端縁部中央に、本体部１内に挿入したスライド板４の一部が露出するような摘み用切欠部１ａが設けられている。
【００１５】
前記表面板２と裏面板３の双方の中央部には症状表示部５が、その両側にはそれぞれ人体表示部６とが設けられている。前記症状表示部５には、美容の向上にあたって選択すべき複数の症状を記載した症状記載７と、この複数の症状記載７にそれぞれ対応した複数の症状側開口部８とが、前記スライド板４の移動方向に沿って配置されている。この場合、症状側開口部８は本実施形態では矩形であり、症状記載７の両側にそれぞれ設けられているが、片側でも良い。
【００１６】
前記人体表示部６には、人体の全部もしくは一部のうち、少なくとも一方の形状を表示した人体図９と、この人体図９におけるつぼの位置に対応して設けられたつぼ側開口部１０とが設けられている。すなわち、表面板２の人体表示部６に身体全体の正面と背面を示す人体図が表示され、背面板の人体表示部６には顔とその他の四肢の部分を示す人体図が表示されている。前記つぼ側開口部１０は円形をしており、人体図９における選択された症状に該当するつぼの位置に直接開口されるものと、つぼの位置から離れた位置に開口されてつぼの位置とその開口部との間を引出線によって結んだものとが設けられ、異なったつぼの位置が近接していてもそれに対応する開口部の位置が重なることがないように構成されている。
【００１７】
図３及び図４は、スライド板４の表面と背面を示すものであり、このスライド板４には、スライド板４を上下方向に移動させた場合に、複数の症状側開口部８のいずれかに順次露出する症状選択マーク１１と、前記症状選択マーク１１がある症状に対応する症状側開口部８に露出している場合に、その症状を改善する１つあるいは複数のつぼの位置に対応したつぼ側開口部１０に露出するつぼ選択マーク１２とが設けられている。なお、本実施形態では、症状選択マーク１１は矩形、つぼ選択マーク１２は円形である。
【００１８】
なお、本実施形態において、前記症状表示部５に複数の症状記載７を配置するにあたって、次のように配慮されている。すなわち、複数の症状記載７に対応するつぼの位置が表面板２または裏面板３におけるスライド方向の全域に広がっている症状については、その症状の症状側開口部８は、その症状側開口部８に症状選択マーク１１が露出している状態において、本体部１端縁からのスライド板４の突出量が少ない位置に設けられている。また、対応するつぼの位置が、表面板２または裏面板３におけるスライド方向の一方に偏っている症状の症状側開口部８は、その症状側開口部８に症状選択マーク１１が露出している状態において、本体部１端縁からのスライド板４の突出量が大きい位置に設けられている。
【００１９】
このような構成を有する本実施形態の美容チェック表を使用する場合は、スライド板４を上下（本体の端縁部方向）にスライドさせ、希望する症状記載７の横に開いている症状側開口部８にスライド板４に設けられた表面板２を合わせる。すると、症状側開口部８に症状選択マーク１１が露出すると同時に、その症状に対応したつぼの位置に設けられたつぼ側開口部１０にスライド板４のつぼ選択マーク１２が露出するので、必要とするつぼの位置が判別できる。その場合、スライド板４に対応するつぼ選択マーク１２が複数設けられていれば、すべてのマークがつぼ側開口部１０に露出することになるので、一つの症状に対応した複数のつぼの位置を洩れなく表示できる。
【００２０】
また、他の症状に対応したつぼの位置を探す場合には、図５のように、その症状記載７に対応した開口部に、症状選択マーク１１を合わせるようにスライド板４をスライドさせれば、スライド板４の移動に伴って異なったつぼ側開口部１０の位置につぼ選択マーク１２が露出するので、その症状に対応したつぼを判別できる。また、本実施形態では本体部の底が開いていることから、スライド板４を下方に移動させることで、別の症状に対応したつぼを表示することも可能である。従って、スライド板を上方にのみ移動させる場合に比較して、より多くの症状とそれに対応したつぼを表示できる。
【００２１】
さらに、図２及び図６にも示すように、本体の背面板側にも症状記載７、症状側開口部８、人体図９及びつぼ側開口部１０が設けられているので、体全体だけでなく、顔や四肢のようにつぼの位置の拡大表示も可能であり、多数のつぼを症状に合わせて正確に表示することが可能である。
【図面の簡単な説明】
【００２２】
【図１】本考案の美容チェック表の一実施形態を示す正面図。
【図２】図１の美容チェック表の背面図。
【図３】図１の美容チェック表に使用するスライド板４の正面図。
【図４】図１の美容チェック表に使用するスライド板４の背面図。
【図５】図１の美容チェック表のスライド板４の移動状態を示す正面図。
【図６】図１の美容チェック表のスライド板４の移動状態を示す背面図。
【符号の説明】
【００２３】
１…本体部
２…表面板
３…裏面板
４…スライド板
５…症状表示部
６…人体表示部
７…症状記載
８…症状側開口部
９…人体図
１０…つぼ側開口部
１１…症状選択マーク
１２…つぼ選択マーク
【図１】
0003100691.tif 000003
【図２】
0003100691.tif 000004
【図３】
0003100691.tif 000005
【図４】
0003100691.tif 000006
【図５】
0003100691.tif 000007
【図６】
0003100691.tif 000008